(57)【要約】【課題】  シート束上の、ステープルで綴じられている位置と折り処理によるそのシート束の折線位置とのズレが抑制されたシート処理装置を提供する。【解決手段】  積み重ねられた複数枚のシートの中央をステープルで綴じるステープラ、  ステープラにより綴じられた後のシート束を２つ折りにする折り処理を行なうシート折曲機、シート束を構成するシートの枚数を認識する枚数認識部、ステープラで綴じられた後のシート束を、シート折曲機により該シート束中央が折り曲げられる位置に移動させるシート移動機構、および、シート束を構成するシートの枚数とシート移動機構によるシート束の移動量とが対応づけられた移動量決定テーブルを有し、シート移動機構により、シート束を、移動量決定テーブルにより決定される、このシート束を構成するシートの枚数に応じた移動量だけ移動させるシート移動制御部を備えた。【選択図】        図３
2006044922.tif 000002
【特許請求の範囲】
【請求項１】
１枚ずつ順次送り込まれてきたシートを積み重ね、積み重ねた複数枚のシートの中央を綴じて、綴じられたシート束を２つに折り曲げるシート処理装置において、
積み重ねられた複数枚のシートの中央をステープルで綴じるステープラ、
前記ステープラにより綴じられた後のシート束を２つ折りにする折り処理を行なうシート折曲機、
前記シート束を構成するシートの枚数を認識する枚数認識部、
前記ステープラで綴じられた後のシート束を、前記シート折曲機により該シート束中央が折り曲げられる位置に移動させるシート移動機構、および、
シート束を構成するシートの枚数と前記シート移動機構によるシート束の移動量とが対応づけられた移動量決定テーブルを有し、前記シート移動機構により、前記シート束を、該移動量決定テーブルにより決定される、該シート束を構成するシートの枚数に応じた移動量だけ移動させるシート移動制御部を備えたことを特徴とするシート処理装置。
【請求項２】
前記移動量決定テーブルが書換え自在なものであることを特徴とする請求項１記載のシート装置。
【請求項３】
前記移動量決定テーブルへのシートの枚数に応じた移動量の書込み操作を行なう操作部を備えたことを特徴とする請求項２記載のシート処理装置。
【発明の詳細な説明】
【技術分野】
【０００１】
本発明は、１枚ずつ順次送り込まれてきたシートを積み重ね、積み重ねた複数枚のシートの中央を綴じて、綴じられたシート束を２つに折り曲げるシート処理装置に関する。
【背景技術】
【０００２】
従来より、複写機の中には、複数枚積み重ねられた用紙をステープルで綴じるステープル処理を行ない、さらに、そのステープル処理が施された用紙束をそのステープルで綴じた中心で二つ折りにする折り処理機能を備えているものがある。
【０００３】
このような折り処理が可能な複写機では、まずステープル処理の対象となる用紙を揃えるためにこれら用紙がコンパイルトレイと呼ばれるトレイに一旦収容され、その後、これら用紙の中央にステープル処理を施すためにステープル処理位置へのこれら用紙の移動が行なわれ、ステープル処理の後、さらに折曲機による２つ折りのために折り処理位置への用紙束の移動が行なわれる。
【０００４】
ところが、このような複写機では、用紙束の、ステープルで綴じられている位置と折り処理によるその用紙束の折線位置とがずれてしまう場合がある。
【０００５】
そこで、コンパイルトレイからステープル処理位置への用紙の移動を正確に行うことで上記のズレを抑制する提案がなされている（特許文献１参照）。
【特許文献１】特開平２００２−０６８５１８号公報
【発明の開示】
【発明が解決しようとする課題】
【０００６】
ところが、上記提案においては、ステープラによって綴じられる用紙枚数が増えてくると、ステープル処理が用紙の中央になされていても、ステープルが打ち込まれた位置と折線位置とのズレが激しくなることが知られており、これでは見栄えが悪いという問題がある。
【０００７】
尚、上記問題は、中央が閉じられた記録用紙を２つ折りにする場合に限って発生するものではなく、中央が閉じられた、記録用紙以外のシート状物を２つ折りにする場合にも同様に発生する問題である。
【０００８】
本発明は、上記事情に鑑み、シート束上の、ステープルで綴じられている位置と折り処理によるそのシート束の折線位置とのズレが抑制されたシート処理装置を提供することを目的とする。
【課題を解決するための手段】
【０００９】
上記目的を達成するための本発明のシート処理装置は、
１枚ずつ順次送り込まれてきたシートを積み重ね、積み重ねた複数枚のシートの中央を綴じて、綴じられたシート束を２つに折り曲げるシート処理装置において、
積み重ねられた複数枚のシートの中央をステープルで綴じるステープラ、
上記ステープラにより綴じられた後のシート束を２つ折りにする折り処理を行なうシート折曲機、
上記シート束を構成するシートの枚数を認識する枚数認識部、
上記ステープラで綴じられた後のシート束を、上記シート折曲機によりこのシート束中央が折り曲げられる位置に移動させるシート移動機構、および、
シート束を構成するシートの枚数と上記シート移動機構によるシート束の移動量とが対応づけられた移動量決定テーブルを有し、上記シート移動機構により、上記シート束を、この移動量決定テーブルにより決定される、このシート束を構成するシートの枚数に応じた移動量だけ移動させるシート移動制御部を備えたことを特徴とする。
【００１０】
本発明は、従来の、ステープル処理がなされたシート束を２つ折りにするシート処理装置では、シート束の構成枚数が多くなると、シート束の構成枚数が少ないときと同様にシート束の中央で折り曲げようとしても、折れ線のできる位置がシート束の中央からある程度の傾向を以てズレてしまうことに着目してなされたものであり、本発明のシート処理装置では、シート移動機構が、このシート束を構成するシート枚数に応じて移動量決定テーブルにおいて決定される移動量だけシート束をステープル処理位置から移動させる。つまり、本発明のシート処理装置によれば、シート枚数の増加により発生するズレ量を加味した移動量を、移動量決定テーブルにおいてシート枚数と対応づけておくことができ、これにより、シート束上の、ステープルで綴じられている位置と折り処理によるそのシート束の折線位置とのズレを抑制することができる。
【００１１】
ここで、上記移動量決定テーブルが書換え自在なものであることが好ましい。
【００１２】
このようにすると、使用するシートの質が変化しても対処することができる。
【００１３】
さらに、上記移動量決定テーブルへのシートの枚数に応じた移動量の書込み操作を行なう操作部を備えることも好ましい態様である。
【００１４】
このようにすると、使用するシートの質の変化に対する対処をより一層簡易に行なうことができる。
【発明の効果】
【００１５】
本発明のシート処理装置によれば、シート束上の、ステープルで綴じられている位置と折り処理によるそのシート束の折線位置とのズレを抑制することができる。
【発明を実施するための最良の形態】
【００１６】
以下、本発明のシート処理装置の実施形態について説明する。
【００１７】
図１は、本発明のシート処理装置の一実施形態の概略構成図である。
【００１８】
図１には、本実施形態であるシート処理装置１１が示されており、このシート処理装置１１の左側には画像形成装置１０が示されている。これら画像形成装置１０とシート処理装置１１とにより複写機１が構成されている。
【００１９】
複写機１では、画像形成装置１０側で画像が複写された記録用紙がシート処理装置１１側に搬送されるが、シート処理装置１１には、画像形成装置１０側から搬送されてきた記録用紙に何ら処理を施さないままシート処理装置１１の右側に備えられた２段の排紙トレイのうちの上段側の第１排紙トレイ１１１に排出する第１搬送路Ａと、中央をステープルで綴じる綴じ処理と、中央が綴じられた用紙束を中央で２つ折りにする折り処理とを行なうための、第１搬送路Ａから装置の下方に分岐した第２搬送路Ｂとが備えられている。
【００２０】
また、シート処理装置１１には、上記処理のために第２搬送路Ｂを辿って搬送されてきた記録用紙を揃えるコンパイラトレイ１１３と、このコンパイラトレイ１１３で揃えられた記録用紙の中央に綴じ処理を行なうためのステープラ１１４と、ステープラ処理がなされた後の用紙束を２つ折りにする折り処理を行なう折曲機１１５とで構成されている。
【００２１】
さらに、シート処理装置１１には、シート処理装置１１の全体の動作を制御する制御部１１６と、折曲機１１５によって２つ折りにされた用紙束を第１排紙トレイ１１１の下方に配備された第２排紙トレイ１１２に排出する第３搬送路Ｃと、コンパイラトレイ１１３に送り込まれた用紙枚数をカウントするためのフォトセンサ１１８とが備えられている。
【００２２】
コンパイラトレイ１１３には、揃えた記録用紙を移動させる位置決め部材１１３１が備えられている。この位置決め部材１１３１にはラック（不図示）が取り付けられ、このラックと、ステッピングモータＭの回転軸に取り付けられたピニオンギアＭ１とは噛合しており、このシート処理装置１１では、ステッピングモータＭの回転角を制御することでコンパイラトレイ１１３上における位置決め部材１１３１の移動が制御されている。
【００２３】
ステープラ１１４は、制御部１１６からの指示を受けてステープル処理を行なう。
【００２４】
折曲機１１５は、折りロール１１５２、および、中央がステープル処理された用紙束の綴じ部分を折りロ−ル１１５２間に押し込むナイフエッジ１１５１で構成されている。尚、図１には、記録用紙を搬送するための搬送ロール１１７も示されている。
【００２５】
ステープラ１１４によるステープル処理が行なわれるステープル処理位置への用紙の移動、および、ステープル処理位置から折曲機１１５による折り処理が行なわれる折り処理位置への用紙束の移動は、制御部１１６からステッピングモータＭへの回転指示により制御されており、移動量の情報は、制御部１１６が有する移動量決定テーブルに記憶されている。尚、図１には、この複写機１の操作用のタッチパネル１２が、シート処理装置１１の上面に取り付けられている様子が示されている。
【００２６】
図２は、コンパイラトレイにおける位置決め部材の位置変化を示す図である。尚、図２では、記録用紙のサイズとしてＡ４、Ｂ４、およびＡ３を代表的に取り挙げている。
【００２７】
図２（ａ）には、コンパイラトレイ１１３において、第２搬送路Ｂを経て搬送されてきた記録用紙を揃える際の位置決め部材１１３１の位置が用紙サイズに応じて設定されている様子が示されており、位置決め部材１１３１は、処理する記録用紙がＡ４サイズの場合には上端基準位置である‘ＳＴＤ’から２９７．０ｍｍの位置に移動し、Ｂ４サイズの場合には‘ＳＴＤ’から３６４．０ｍｍ、Ａ３サイズの場合には‘ＳＴＤ’から４２０．０ｍｍの位置に移動する。
【００２８】
図２（ｂ）には、揃えられた記録用紙に対してステープル処理を行なう際の、位置決め部材１１３１の配置が示されており、本実施形態のシート処理装置１１では、記録用紙がＡ４の場合には図２（ａ）に示す位置から下向きに２９．９ｍｍ下げられる。また、記録用紙がＢ４の場合には、図２（ａ）に示す位置から３．６ｍｍ上昇され、記録用紙がＡ３の場合には、図２（ａ）に示す位置から３１．６ｍｍ上昇させられる。このシート処理装置１１では、用紙サイズに応じて記録用紙の位置を変更することにより記録用紙の中央にステープル処理が施されるようになっている。尚、図２（ｂ）に示す位置Ｘが、ステープル処理が施されるステープル処理位置である。
【００２９】
ステープル処理が施された用紙束に対する折り処理は、図２（ｃ）に示すように、ステープル処理位置Ｘから３５ｍｍ離れた位置Ｙで行なわれる。
【００３０】
ここで、シート処理装置１１では、ステープル処理がなされた用紙束を折り処理位置Ｙに移動させる際、図２（ｂ）に示される位置から（３５＋α）ｍｍだけ位置決め部材１１３１が上昇するようにステッピングモータＭに指示が出される。このαは、用紙束の構成枚数によって変化する調整値である。
【００３１】
図３は、本実施形態のシート処理装置の制御部が有する、ステープル処理がなされた用紙束を折り処理位置Ｙに移動させる際に参照する移動量決定テーブルの内容に関するグラフ図である。
【００３２】
図３（ａ）には、本実施形態のシート処理装置１１において所定の記録用紙を対象として実験的に得られた、調整値αの平均値が用紙束を構成する用紙枚数毎にドットで示されており、この実験結果からは、この所定の記録用紙についての調整値αと用紙枚数との関係はほぼ一次式で近似できることが読みとれる。
【００３３】
図３（ｂ）には、図３（ａ）に示す、用紙束が２枚の時の平均調整値α（０．０）と１５枚の時の平均調整値α（−１．７）とを結ぶ一次式の点線によって表される移動量決定テーブルの内容が示されており、図３（ｂ）に内容が示されている移動量決定テーブルが、工場出荷時に制御部１１６に登録されている。
【００３４】
ここで、図４は、移動量決定テーブルの新規登録や内容の変更等を行なうための、タッチパネルにおける表示画面を示す図である。尚、図４に示す表示画面１２０は、このシート処理装置１１が配備された複写機１に備えられたタッチパネル１２においてオプション機能‘移動量調整’を選択することで表示されるものである。
【００３５】
図４に示す表示画面１２０には、上段左側から、用紙束の枚数を入力する‘枚数’欄１２１と、その下方に調整値αの表示又は入力が行なわれる‘調整値（α）’欄１２２とが設けられ、さらに、‘調整値（α）’欄１２２に表示されている値に対する修整値βを入力するための‘修整値（β）’欄１２３が設けられている。また、上段中央には、枚数や、その枚数に対応する調整値あるいは修整値を入力した際にこれらを記憶する‘確定’キーと、入力したデータをキャンセルする際に操作する‘キャンセル’キーと、新たに用紙枚数と調整値（α）の関係を新規の移動量決定テーブルとして登録する際に操作する‘新規登録’キーとが設けられている。上段右側には、既に登録済みの移動量決定テーブルが登録番号で表示される‘テーブル表示’欄１２４が設けられている。尚、‘テーブル表示’欄１２４では、シート処理装置１１において現在適用中の移動量決定テーブルが‘網掛け’で示されるようになっており、図４には、工場出荷時に登録された、図３（ｂ）に内容画示された移動量決定テーブル（登録番号‘０００’）が適用されている様子が示されている。尚、図４に示す表示画面１２０の下段には、この移動量決定テーブルの内容がグラフによって表示されるようになっている。
【００３６】
また、図４に示す表示画面１２０の上段中央には、上段右側に登録済みの移動量決定テーブルに修整を加えて上書き保存する際に操作する‘修整登録’キーが設けられている。
【００３７】
ここで、複写機１のユーザが用いる記録用紙の質がこの複写機１の出荷元の想定したものと異なる場合、図３（ｂ）に内容が示された移動量決定テーブルに応じた移動量の調整によってもステープルが打たれた位置と折曲処理による折線位置とがズレる可能性が出てくる。
【００３８】
このような場合のために、このシート処理装置１１では、ユーザに合った移動量決定テーブルの作成が可能となっており、新たな移動量決定テーブルの作成は以下のように行なわれる。
【００３９】
まず、現在適用中の移動量決定テーブルによる、用紙束上の、ステープルで綴じられている位置と折り処理によるその用紙束の折線位置とのズレを用紙束の構成枚数を変化させてサンプリングした後、複写機１の操作パネルにおいてオプション機能‘移動量調整’を選択する。
【００４０】
ここで、図４に示す表示画面１２０の‘枚数’欄１２１に、変更が必要である枚数を入力し、‘確定’キーを操作する。この際、‘調整値（α）’欄１２２には現在適用中の移動量決定テーブルにおける調整値（α）が表示される。次に、この‘調整値（α）’欄１２２に表示された値に対する修整値（β）を‘修整値（β）’欄１２３に入力し、‘確定’キーを操作する。その他の枚数についても同様に修整値（β）の入力をした後、‘新規登録’キーを操作することで‘修整値（β）’欄１２３に入力された値は‘調整値（α）’欄１２２に表示されている値に加算され新たな移動量決定テーブルが登録され、‘テーブル表示’欄１２４に表示される。尚、この場合、‘修整登録’キーが操作されると現在適用中の移動量決定テーブルに対しデータの上書きがなされる。尚、表示画面１２０の上段中央には、‘テーブル表示’欄１２４に登録された移動量決定テーブルのうちのいずれを選択して適用するかを操作するための‘△▽’キーおよび‘適用’キーが設けられている。
【００４１】
ここで、図３（ｃ）には、新規登録された移動量決定テーブルの内容の一例がグラフで示されており、この新規登録では、データとして、（用紙枚数２、調整量０．０）、（用紙枚数７、調整量−１．０）、（用紙枚数１１、調整量−２．０）、（用紙枚数１５、調整量−３．２）が入力され、隣あうデータどうしがそれぞれ一次式で結ばれて調整値（α）が決定されている。
【００４２】
以上説明したように、本実施形態のシート処理装置１１では、ステープル処理がなされるステープル処理位置から折り処理がなされる折処理位置までの用紙束の移動量の決定が、用紙束を構成する用紙枚数と調整値（α）とが対応づけられた移動量決定テーブル１１６ａを参照して行なわれており、この移動量決定テーブル１１６ａは、表示画面１２０に対する操作を通じて書き換え自在のものである。したがって、本実施形態のシート処理装置１１によれば、用紙枚数の増加により発生するズレ量を加味した移動量を、移動量決定テーブルにおいて用紙枚数と対応づけておくことができ、これにより、用紙束の、ステープルで綴じられている位置と折り処理によるその用紙束の折線位置とのズレを抑制することができる。
【００４３】
尚、以上に説明した実施形態では、移動量の書込み操作を行なう表示画面１２０を備えた場合を例に挙げて説明したが、本発明はこれに限るものではなく、外部から通信回線を通じて移動量決定テーブルを受信するものであってもよく、さらには、書き換え不能な移動量決定テーブルを複数種類備え、使用する用紙の質に最も適した移動量決定テーブルを選択して適用できるようになっていてもよい。また、紙以外のシート状物を用いるものであっても、本発明の効果は減却されるものではない。
【図面の簡単な説明】
【００４４】
【図１】本発明のシート処理装置の一実施形態の概略構成図である。
【図２】コンパイラトレイにおける位置決め部材の位置変化を示す図である。
【図３】本実施形態のシート処理装置の制御部が有する移動量決定テーブルの内容に関するグラフ図である。
【図４】移動量決定テーブルの新規登録や内容の変更等を行なうための表示画面を示す図である。
【符号の説明】
【００４５】
１１  シート処理装置
１１１  第１排紙トレイ
１１２  第２排紙トレイ
１１３  コンパイラトレイ
１１３１  位置決め部材
１１４  ステープラ
１１５  折曲機
１１５１  ナイフエッジ
１１５２  折りロ−ル
１１６  制御部
１１６ａ  移動量決定テーブル
１１７  搬送ロール
１１８  フォトセンサ
１２  タッチパネル
１２０  表示画面
【図１】
2006044922.tif 000003
【図２】
2006044922.tif 000004
【図３】
2006044922.tif 000005
【図４】
2006044922.tif 000006